(57)【要約】【課題】ステップのクリートに入った異物が櫛板との間に挟まれることを低減することのできる乗客コンベアを提供する。【解決手段】無端状に連結され乗降床間を循環移動するステップのクリートと非接触状態で噛み合う櫛歯を有する櫛板を備えた乗客コンベアにおいて、櫛歯に植毛を施すと共に、植毛の長さ寸法を、０．８〜１．５ｍｍに設定したものである。【選択図】図２
2013180848.tif 000002
【特許請求の範囲】
【請求項１】
建物構造物に設置された枠体と、該枠体の長手方向両端部に設けた一対の乗降床と、該乗降床間を無端状に連結されて循環回動するステップと、該ステップの移動方向に沿って前記枠体に設置された欄干と、前記ステップと同期して駆動されるハンドレールとを備え、前記乗降床を構成する乗降床板の端部に前記ステップのクリートと非接触状態で噛み合う櫛歯を有する櫛板を備えた乗客コンベアにおいて、
前記櫛板の櫛歯に植毛を施したことを特徴とする乗客コンベア。
【請求項２】
請求項１に記載の乗客コンベアにおいて、前記植毛は、０．８〜１．５ｍｍの長さ寸法を有することを特徴とする乗客コンベア。
【請求項３】
請求項２に記載の乗客コンベアにおいて、前記櫛歯の前記植毛の先端と前記クリートとの間隙を０．１〜２．０ｍｍとしたことを特徴とする乗客コンベア。
【請求項４】
請求項１乃至３のいずれかに記載の乗客コンベアにおいて、前記植毛は、前記櫛板の素材よりも摩擦係数の低い材料で形成されていることを特徴とする乗客コンベア。
【請求項５】
請求項４に記載の乗客コンベアにおいて、前記植毛は、ナイロン、レーヨン、ＰＥＴを含む合成樹脂のうち少なくとも１種類の合成樹脂からなる材料で形成したことを特徴とする乗客コンベア。
【発明の詳細な説明】
【技術分野】
【０００１】
本発明は、乗客コンベアに関し、特に、乗客コンベアの乗降床板とステップとの境界に配置される乗客コンベアの櫛板装置に関する。
【背景技術】
【０００２】
乗客コンベアの乗降床には、利用者が安全に乗降できるようにするため、乗降床板とステップとの境界に硬質で、かつ滑らかな合成樹脂或いはアルミ材等よりなる櫛板が設けられている。そして、この櫛板の櫛歯は、ステップのクリートとかみ合うように配置され、利用者が、ステップから乗降床板に降りるとき、靴や買い物カート等の運搬車の車輪が櫛歯に衝突しても、靴は滑らかに櫛板に乗り上げられ、事故を未然に防止している。
【０００３】
例えば、特許文献１には、利用者が出入口からステップに乗降するとき、万一ステップを靴で踏んでも安全に乗降することができる乗客コンベアの櫛板が開示されている。 櫛板の表面部に踏段のクリート溝と直角方向に鋸歯状波形の滑り止め溝を設けたものである。これによって、出入口からステップに乗り込むときに万一利用者が櫛板を靴で踏んでも、靴底が滑り止め溝に引っかかるため足元が滑らないので、ステップに安全に乗り込むことができる。
【先行技術文献】
【特許文献】
【０００４】
【特許文献１】特開平９−３１５７４３号公報
【発明の概要】
【発明が解決しようとする課題】
【０００５】
ところで、乗客コンベアの利用においては、利用者が降りる際にその靴紐や衣服が櫛板とクリートの間に挟まって吸い込まれてしまい、靴紐や衣類を破損することや櫛板本体が破損することが懸念されている。
【０００６】
しかしながら、前述した従来の櫛板装置は、乗降の際に、主に利用者の靴が衝突しても滑らかに櫛板に乗り上げるように構成されたものであり、靴紐や衣類の破損を軽減することを念頭に置いたものではなかった。
【０００７】
本発明は、前述した従来技術における実状からなされたもので、その目的は靴紐や衣類の破損を低減することのできる乗客コンベアを提供することにある。
【課題を解決するための手段】
【０００８】
本発明は、建物構造物に設置された枠体と、枠体の長手方向両端部に設けた一対の乗降床と、乗降床間を無端状に連結されて循環回動するステップと、ステップの移動方向に沿って枠体に設置された欄干と、ステップと同期して駆動されるハンドレールとを備え、乗降床に配置される乗降床板の端部にステップのクリートと非接触状態で噛み合う櫛歯を有する櫛板を備えた乗客コンベアにおいて、櫛板の櫛歯に植毛を施したことを特徴とする。
【０００９】
また、植毛は、０．８〜１．５ｍｍの長さ寸法を有することが望ましい。植毛は、例えば材料には自動車内装部品や指輪ケースなどに用いられるナイロン、レーヨン、ＰＥＴ等からなる一般的な植毛材が適当である。
【００１０】
また、櫛歯の植毛の先端とクリートとの間隙を０．１〜２．０ｍｍとすることが望ましい。
【００１１】
また、植毛は、櫛板の素材よりも摩擦係数の低い材料で形成されていることが望ましい。
【００１２】
また、植毛は、ナイロン、レーヨン、ＰＥＴを含む合成樹脂のうち少なくとも１種類の合成樹脂からなる材料で形成したことを特徴とする。
【発明の効果】
【００１３】
本発明によれば、靴紐や衣類等の異物が植毛の低摩擦性と反発力により櫛板とステップとの間に挟まれることを低減し、乗客コンベアの安全性の向上を図ることができる。また、異物が櫛板の櫛歯先端部分に衝突した際に、植毛が緩衝材となり異物の損傷を軽減することができる。
【図面の簡単な説明】
【００１４】
【図１】本発明の乗客コンベアの全体構成を示す模式図である。
【図２】本発明の櫛板装置の実施例を示す概略縦断面図である。
【図３】図２における要部の拡大断面図である。
【図４】本発明の櫛板装置の実施例を示す斜視図である。
【図５】本発明の櫛板装置の植毛部分を示す模式図である。
【発明を実施するための形態】
【００１５】
以下、本発明に係る乗客コンベアの実施例を図面に基づき説明する。
【実施例】
【００１６】
乗客コンベアは、図１に示すように、建物構造物に設置された枠体１と、枠体１の長手方向両端部に設けた上階２の乗降床および下階３の乗降床と、これらの乗降床、間を無端状に連結されて循環回動するステップ４と、このステップ４の移動方向に沿って枠体１に設置された欄干５と、ステップ４と同期して駆動されるハンドレール６と、ステップ４及びハンドレール６を駆動する駆動機７とを備えている。上階の乗降床は乗降床板８で構成されており、下階の乗降床は乗降床板９で構成されている。
【００１７】
ステップ４の表面には、ステップ４の移動方向に平行な複数の桟である複数のクリート１２が設けられており、隣り合う２つのクリート１２によりクリート溝が形成されている。
【００１８】
また、図２に示すように、各乗降床板８、９の端部に櫛板１０が設けられ、この櫛板１０の先端部に形成される櫛歯１１は、ステップ４のクリート１２と非接触状態で噛み合っている。一般に、櫛歯１１とクリート１２の間隙は約２〜４ｍｍに設定されている。
【００１９】
そして、本実施例の櫛板装置では、図２及び図３に示すように、櫛歯１１の先端部分に植毛１３を施している。植毛１３は櫛歯１１の先端部分を包んで設けられている。
【００２０】
図４は、本実施例の櫛板装置の斜視図であり、図５は櫛板１０の先端部に形成される櫛歯１１とステップ４のクリート１２の係合部を示す模式図である。図４、５に示す様に、櫛歯１１の先端部分に設けられた植毛１３は、ナイロン、レーヨン、ＰＥＴ等の合成樹脂からなる一般的な植毛材が用いられる。櫛板１０は、一般にアルミ等の金属や強度の高いエンジニアリングプラスチックが用いられているが、その表面の摩擦係数は比較的大きい。ここで上記の植毛材を設けると、表面が櫛歯のみの場合よりも低摩擦化され、異物が櫛歯１１とクリート１２の間に巻き込まれず、容易に排出することができる。本実施例の植毛１３は、例えば１ｍｍの長さ寸法を有している。
【００２１】
本実施例にあっては、図３に示すように、ステップ４のクリート１２に靴紐や衣服等の異物１４が挟まった状態で櫛板１０の櫛歯１１の先端部分に衝突すると、植毛１３の反発力と低摩擦化された植毛１３表面により靴紐や衣服等の異物１４が櫛歯１１の隙間から容易に弾かれ、櫛歯１１上に乗りあがって１４’のように回動し、クリート溝からすくい上げられる。したがって、植毛１３の材質、長さ、太さ、剛性は種々のものを用いることができるが、特に所定の反発力と低摩擦係数を持つものが好ましい。
【００２２】
本発明によれば、ステップ４のクリート溝に入った靴紐や衣服等の異物１４が櫛板１０との間に挟まれることを低減し、乗客コンベアの安全性の向上を図ることができる。
【００２３】
また、靴紐や衣服等の異物１４が櫛板１０の櫛歯１１に衝突した際、植毛１３が緩衝材となることにより、靴紐や衣服等の異物１４の損傷を軽減することができる。
【００２４】
なお、前述した実施例では、植毛１３の長さ寸法を１ｍｍとしたが、本発明はこれに限らず、０．８〜１．５ｍｍの範囲で任意に設定することができる。ここで、０．８ｍｍ以上としたのは、靴紐や衣服等の異物１４が櫛板１０との間に挟まれることを防ぐ反発力や低摩擦化という本発明の主要な効果を得るためである。また、１．５ｍｍ以内としたのは、櫛歯１１の植毛１３の先端とクリート１２との間の隙間寸法が小さくなり過ぎると塵埃がクリート１２と櫛歯１１の間で詰まり、円滑なステップ４の移動を阻害することを防ぐためである。
【００２５】
さらに、櫛歯１１の植毛１３の先端とクリート１２との間の隙間寸法を０．１〜２．０ｍｍに設定することにより、上記の塵埃の詰まりを防止し、両者の円滑な相対移動を実現することができる。
【００２６】
尚、実施例では乗客コンベアの一例としてエスカレーターに適用した例を示したが、これに限られず、動く歩道などの他の型式の乗客コンベアに適用しても良い。
【符号の説明】
【００２７】
１：枠体
２：上階
３：下階
４：ステップ
５：欄干
６：ハンドレール
７：駆動機
８、９：乗降床板
１０：櫛板
１１：櫛歯
１２：クリート
１３：植毛
１４：異物
【図１】
2013180848.tif 000003
【図２】
2013180848.tif 000004
【図３】
2013180848.tif 000005
【図４】
2013180848.tif 000006
【図５】
2013180848.tif 000007